(57)【要約】【課題】極めて簡易で廉価な構成からなり、装置内を確実に遮光することができるフイルム装填装置を提供する。【解決手段】フイルム包装体１２を収納した載置台３６、３８、４０の把手８６の上部を載置台側遮光部９４とする一方、装填部４９、５１、５３の上部ケーシング９８に弾性部材１０２により載置台側遮光部９４側に突出付勢される装置側遮光部１０４を配設し、載置台側遮光部９４及び装置側遮光部１０４間からフイルム包装体１２の遮光袋１４を引き出し可能とするとともに、遮光袋１４が引き出された後の装置本体内の遮光性を確保する。【選択図】図３
2005202098.tif 000002
【特許請求の範囲】
【請求項１】
取り外し自在なカバー部材を有し、複数のシートフイルムを光密な状態で積層収納するフイルム包装体が装填されるフイルム装填装置において、
装置本体と、
前記フイルム包装体を載置するために前記装置本体に対して引き出し可能な載置台と、
前記装置本体に配設され、前記装置本体の外部に一部が導出された前記カバー部材を介して、前記装置本体に収容された状態の前記載置台に係合することで、前記装置本体内の前記シートフイルムを光密に保持する装置側遮光部と、
前記載置台に配設され、前記装置本体の外部に一部が導出された前記カバー部材を介して、前記装置側遮光部に係合することで、前記装置本体内の前記シートフイルムを光密に保持する載置台側遮光部と、
を備え、前記装置側遮光部又は前記載置台側遮光部の少なくとも一方が、他方に対し弾性部材により変位自在に付勢されて構成されることを特徴とするフイルム装填装置。
【請求項２】
請求項１記載の装置において、
前記装置側遮光部は、前記装置本体の外部に一部が導出された前記カバー部材の面に対して略直交する方向に変位自在に構成されることを特徴とするフイルム装填装置。
【請求項３】
請求項１記載の装置において、
前記載置台側遮光部は、前記装置本体の外部に一部が導出された前記カバー部材の略引き抜き方向に変位自在に構成されることを特徴とするフイルム装填装置。
【発明の詳細な説明】
【技術分野】
【０００１】
本発明は、取り外し自在なカバー部材を有し、複数のシートフイルムを光密な状態で積層収納するフイルム包装体が装填されるフイルム装填装置に関する。
【背景技術】
【０００２】
近年、放射線（Ｘ線、α線、β線、γ線、電子線、紫外線等）を照射すると、その放射線エネルギの一部を蓄積し、後にレーザ光や可視光等の励起光を照射することで蓄積されたエネルギに応じた輝尽発光を示す蓄積性蛍光体を利用した放射線画像情報記録読取システムが医療分野等において広汎に利用されている。
【０００３】
このシステムでは、例えば、蓄積性蛍光体からなるシートに対して画像記録装置を用いて患者の放射線画像情報を記録し、次いで、このシートを画像読取装置に供給して読み取ることで画像信号を得た後、写真感光材料等のシートフイルムやＣＲＴ等に可視像として出力させて診断が行われる。
【０００４】
ここで、シートフイルムに放射線画像情報を記録する画像記録装置では、マガジンに収納された積層状態のシートフイルムを１枚ずつ枚葉して画像記録部に搬送し、放射線画像情報に基づいて変調されたレーザビームをそのシートフイルムに照射することで、所望の画像記録が行われる。
【０００５】
ところで、前記画像記録装置では、操作性を向上させるため、明室内において、シートフイルムを光密な状態として供給できることが要求される。この操作を可能とする装置として、例えば、図６及び図７に示すように構成されるフイルム装填装置１が提案されている（特許文献１参照）。
【０００６】
フイルム装填装置１は、装置本体３から引き出し可能な載置台５を有し、載置台５の収納部７には、光密な状態のフイルム包装体９が載置される。フイルム包装体９は、遮光袋１１に複数のシートフイルムＦを積層収納し、その開口部に長尺なカバー部材１３を取り外し自在に密着して構成される。
【０００７】
フイルム包装体９は、載置台５の収納部７に載置された後、カバー部材１３を折り返した状態で載置台５とともに装置本体３に装填される（図７参照）。このとき、カバー部材１３は、載置台５に配設されたローラ部材１５と、装置本体３の内部に配設されて上下方向に変位可能なローラ部材１７とによって挟持され、載置台５の把手１９と、装置本体３のケーシング２１との間隙を介して外部に導出される。
【０００８】
図７に示す状態において、カバー部材１３の端部を矢印方向に引き抜くことにより、カバー部材１３は、遮光袋１１から剥離され、ローラ部材１５、１７間及び把手１９、ケーシング２１間を介して抜き取られる。この結果、シートフイルムＦが装置本体３の内部で開放される。開放されたシートフイルムＦは、吸着盤２３によって枚葉され、画像記録部に供給される。
【０００９】
【特許文献１】特開平７−２８７３２９号公報
【発明の開示】
【発明が解決しようとする課題】
【００１０】
ところで、前記のように構成されるフイルム装填装置１では、カバー部材１３を挟持するローラ部材１５、１７、載置台５の把手１９及びケーシング２１によって、装置本体３の内部を光密に保持するようにしている。この場合、カバー部材１３を引き抜いた後の状態では、把手１９及びケーシング２１間に隙間が形成される。
【００１１】
そこで、遮光状態を一層確実なものとするため、例えば、把手１９とケーシング２１との間をラビリンス構造としたり、さらなる遮光部材を設けることが考えられるが、その場合、構造が複雑で高価となるおそれがある。
【００１２】
本発明は、前記の課題に鑑みなされたものであって、極めて簡易且つ廉価な構成からなり、装置内を確実に遮光することができるフイルム装填装置を提供することを目的とする。
【課題を解決するための手段】
【００１３】
本発明は、取り外し自在なカバー部材を有し、複数のシートフイルムを光密な状態で積層収納するフイルム包装体が装填されるフイルム装填装置において、
装置本体と、
前記フイルム包装体を載置するために前記装置本体に対して引き出し可能な載置台と、
前記装置本体に配設され、前記装置本体の外部に一部が導出された前記カバー部材を介して、前記装置本体に収容された状態の前記載置台に係合することで、前記装置本体内の前記シートフイルムを光密に保持する装置側遮光部と、
前記載置台に配設され、前記装置本体の外部に一部が導出された前記カバー部材を介して、前記装置側遮光部に係合することで、前記装置本体内の前記シートフイルムを光密に保持する載置台側遮光部と、
を備え、前記装置側遮光部又は前記載置台側遮光部の少なくとも一方が、他方に対し弾性部材により変位自在に付勢されて構成されることを特徴とする（請求項１記載の発明）。
【００１４】
この場合、装置側遮光部及び載置台側遮光部の少なくとも一方が他方に対して弾性部材により変位自在であるため、装置側遮光部及び載置台側遮光部から大きな抵抗を受けることなくフイルム包装体からカバー部材を容易に取り外すことができる。また、カバー部材が取り外された後、弾性部材により装置側遮光部及び載置台側遮光部が密着係合するため、確実な遮光状態が得られる。
【００１５】
なお、装置側遮光部をカバー部材の面に対して略直交する方向に変位自在に構成し（請求項２記載の発明）、あるいは、載置台側遮光部をカバー部材の略引き抜き方向に変位自在に構成すると（請求項３記載の発明）、好適である。
【発明の効果】
【００１６】
本発明によれば、装置側遮光部及び載置台側遮光部から大きな抵抗を受けることなくフイルム包装体からカバー部材を容易に取り外すことができる。また、弾性部材により装置側遮光部及び載置台側遮光部が密着係合するため、極めて簡易且つ廉価な構成で装置内を確実に遮光することができる。
【発明を実施するための最良の形態】
【００１７】
図１は、本発明のフイルム装填装置が適用される画像記録装置１０を示す。画像記録装置１０は、種々のサイズからなるフイルム包装体１２（図２）が載置可能な複数の載置台３６、３８、４０を有する。載置台３６、３８、４０は、画像記録装置１０の装填部４９、５１、５３に引き出し可能な状態で配設される。
【００１８】
フイルム包装体１２は、図２に示すように、積層した複数のシートフイルムＦを当て紙１６によって保持した状態で遮光袋１４（カバー部材）に収納して構成される。なお、フイルム包装体１２には、収納されているシートフイルムＦの種類、サイズ等を示すフイルム情報が記録された図示しないバーコードが添付されている。また、バーコードに代えて、これらのフイルム情報をＲＦ−ＩＤ（Radio Frequency ldentification）タグに記録して遮光袋１４に添付してもよい。
【００１９】
各載置台３６、３８、４０の下面部には、収納されたフイルム包装体１２の遮光袋１４に添付されたバーコードの位置に対応して開口部３７、３９、４１が形成されており、これらの開口部３７、３９、４１に臨むようにしてバーコードリーダ４３、４５、４７が配設される。また、フイルム包装体１２が収納状態にある各載置台３６、３８、４０の上部には、画像記録装置１０内で開放状態とされたシートフイルムＦを枚葉する吸着盤およびニップローラにより構成可能な枚葉機構４８、５０、５２が配設される。
【００２０】
最上段の載置台３６の上部には、各載置台３６、３８、４０から枚葉されたシートフイルムＦを位置決め搬送する位置決め搬送機構５４が配設される。なお、各載置台３６、３８、４０と位置決め搬送機構５４とは、シートフイルムＦを位置決め搬送機構５４に供給する搬送路５５によって連結される。
【００２１】
位置決め搬送機構５４は、湾曲搬送路５７を有し、湾曲搬送路５７の下流側には、シートフイルムＦの先端部を基準として位置決めを行うニップローラ５９ａ、５９ｂが配設される。また、湾曲搬送路５７の上流側及び下流側には、搬送されたシートフイルムＦの幅方向の位置決めを行うための幅寄せ機構８４及び９２が配設される。
【００２２】
位置決め搬送機構５４の下流側には、画像記録部５６が配設される。画像記録部５６は、一対のローラ６０ａ、６０ｂと、これらのローラ６０ａ、６０ｂが当接することでシートフイルムＦの記録面を位置決めするプレート６２とを備える。ローラ６０ａ、６０ｂ間には、画像記録部５６の上部に配設されたレーザビーム走査部６４からレーザビームＬが導かれる。なお、レーザビームＬは、放射線画像情報に基づいて変調され、シートフイルムＦに潜像からなる放射線画像情報を記録する。
【００２３】
画像記録部５６の下流側には、放射線画像情報の記録されたシートフイルムＦを加熱することで潜像を顕像に変換する熱現像部６６が配設される。熱現像部６６は、シートフイルムＦを搬送する複数のローラ６８と、複数のローラ６８に沿って湾曲形成され、搬送中のシートフイルムＦを加熱するプレートヒータ７０ａ〜７０ｃと、複数のローラ６８を回転駆動するドラム７２とを有する。
【００２４】
画像記録装置１０の最上部には、熱現像部６６に連設して冷却部７４が配設される。冷却部７４によって冷却されたシートフイルムＦは、画像記録装置１０の上面部である排出部７６に排出される。
【００２５】
次に、図３に基づき、載置台３６、３８、４０、及び、載置台３６、３８、４０が装填される装填部４９、５１、５３の構成を説明する。
【００２６】
載置台３６、３８、４０は、把手８６を有し、遮光袋１４を収納する収納部８８内には、把手８６寄りの部位にローラ部材９０が配設される。把手８６の上部は、収納部８８から離間する手前側に向かって上方向に傾斜する載置台側遮光部９４を構成する。
【００２７】
装填部４９、５１、５３は、装填状態にある載置台３６、３８、４０を支持する下部ケーシング９６と、装填部４９、５１、５３の上部に配設され、画像記録装置１０の外装カバー部材を兼ねる上部ケーシング９８とを備える。上部ケーシング９８には、ガイド溝１００が形成され、このガイド溝１００には、コイルスプリング等からなる弾性部材１０２により載置台３６、３８、４０の載置台側遮光部９４に指向して変位自在な装置側遮光部１０４が配設される。なお、弾性部材１０２としては、板ばね、エラストマー等の樹脂材料を用いてもよい。
【００２８】
装填部４９、５１、５３の内部には、上下方向に変位自在であり、載置台３６、３８、４０に配設されたローラ部材９０と協働して遮光袋１４のひれ部１４ａを挟持するローラ部材１０６が配設される。
【００２９】
本実施形態の画像記録装置１０は、基本的には、以上のように構成されるものであり、次に、その動作について説明する。
【００３０】
先ず、画像記録装置１０の装填部４９、５１、５３にフイルム包装体１２を装填する場合の動作について説明する。
【００３１】
作業者は、画像記録装置１０が要求する種類のシートフイルムＦを収納するフイルム包装体１２を選択し、遮光袋１４のひれ部１４ａと反対側の端部を切除した後、そのフイルム包装体１２を所定の装填部４９、５１、５３の載置台３６、３８、４０に載置する。この場合、遮光袋１４のひれ部１４ａを載置台３６、３８、４０の載置台側遮光部９４上に配置する。また、遮光袋１４に添付されたバーコードが載置台３６、３８、４０の開口部３７、３９、４１の位置となるようにする。
【００３２】
次いで、フイルム包装体１２が載置された載置台３６、３８、４０を画像記録装置１０に装填する。フイルム包装体１２を収納した載置台３６、３８、４０が画像記録装置１０に装填されると、バーコードリーダ４３、４５、４７は、開口部３７、３９、４１を介して遮光袋１４に添付されたバーコードを読み取る。この結果、画像記録装置１０は、装填されたシートフイルムＦの種類、サイズ等の識別情報を取得する。
【００３３】
なお、バーコードに代えてＲＦ−ＩＤタグにフイルム情報を保持させた場合、例えば、作業者がフイルム包装体１２を選択して画像記録装置１０に近づいた際、そのフイルム包装体１２が画像記録装置１０の要求するフイルム包装体１２であるか否かをＲＦ−ＩＤタグのフイルム情報を読み取って判定し、要求するものに一致しているとき、当該載置台３６、３８、４０のロックを解除してフイルム包装体１２の載置を促し、一致していないときには、エラー表示を行う、といった処理が可能である。これによって、フイルム包装体１２の誤装填を事前に回避することができる。
【００３４】
図３は、フイルム包装体１２を収納した載置台３６、３８、４０が装填部４９、５１、５３に完全に装填された状態を示す。この場合、遮光袋１４のひれ部１４ａは、載置台３６、３８、４０の把手８６から画像記録装置１０の外部に露出する。また、把手８６の上部に構成される装置側遮光部１０４は、載置台３６、３８、４０の傾斜した載置台側遮光部９４により弾性部材１０２の弾発力に抗して上方向に変位する。さらに、遮光袋１４は、載置台３６、３８、４０の収納部８８に配設されたローラ部材９０と、画像記録装置１０内のローラ部材１０６によって挟持される。
【００３５】
前記の状態から、外部に露出するひれ部１４ａを手前に引くことにより、遮光袋１４は、ローラ部材９０及び１０６によってしごかれながら外部に引き抜かれる。
【００３６】
遮光袋１４が引き抜かれることにより、フイルム包装体１２のシートフイルムＦは、画像記録装置１０の内部に開放される。この場合、上部ケーシング９８のガイド溝１００に配設された装置側遮光部１０４が弾性部材１０２の弾発力によって下降して把手８６の上部の載置台側遮光部９４に係合するため、画像記録装置１０の内部の遮光状態が確実に確保される。
【００３７】
次に、取得した識別情報に従って所望の載置台３６、３８、４０が選択され、シートフイルムＦが枚葉される。例えば、載置台３６が選択された場合、載置台３６の上部に配設された枚葉機構４８は、収納されている最上部のシートフイルムＦを枚葉し、搬送路５５を介して位置決め搬送機構５４に供給する。
【００３８】
位置決め搬送機構５４に搬送されたシートフイルムＦは、先端部がニップローラ５９ａ、５９ｂに当接することで搬送方向に対する姿勢が矯正される。また、幅寄せ機構８４及び９２によってシートフイルムＦの幅方向の位置決めが行われる。
【００３９】
以上のようにして位置決めされた後、画像記録部５６に供給されたシートフイルムＦは、ローラ６０ａ、６０ｂおよびプレート６２によって副走査方向に挟持搬送されるとともに、レーザビーム走査部６４からの放射線画像情報に応じて変調されたレーザビームＬが主走査方向に照射されることにより、潜像としての放射線画像情報がシートフイルムＦに２次元的に記録される。
【００４０】
放射線画像情報が記録されたシートフイルムＦは、熱現像部６６において、ローラ６８およびプレートヒータ７０ａ〜７０ｃにより挟持搬送され、プレートヒータ７０ａ〜７０ｃから付与される熱によって加熱現像され、潜像が顕像に変換される。顕像が記録されたシートフイルムＦは、冷却部７４において冷却された後、排出部７６に排出される。
【００４１】
なお、上述した実施形態では、図３に示すように、載置台側遮光部９４に対して装置側遮光部１０４を上下方向に変位自在に構成することで遮光を行っているが、載置台側遮光部９４をひれ部１４ａの引き出し方向に変位自在に構成することで遮光を行うようにしてもよい。
【００４２】
すなわち、図４及び図５に示すように、載置台側遮光部１０８を載置台３６、３８、４０の把手８６とは別部材とし、この載置台側遮光部１０８の両端部の係合部１１０ａ、１１０ｂを載置台３６、３８、４０に形成した溝部１１２ａ、１１２ｂに収納し、溝部１１２ａ、１１２ｂ内のコイルスプリング等の弾性部材１１４ａ、１１４ｂにより載置台側遮光部１０８を把手８６に沿って変位自在に構成する。なお、装置側遮光部１１６は、上部ケーシング９８（図３参照）と一体に構成されるものとする。
【００４３】
このように構成した場合、遮光袋１４のひれ部１４ａを引き抜くときには、載置台側遮光部１０８が遮光袋１４とともに手前に移動するため、載置台側遮光部１０８、装置側遮光部１１６間の間隙が大きくなり、遮光袋１４を容易に引き抜くことができる。また、遮光袋１４が完全に引き抜かれると、載置台側遮光部１０８が弾性部材１１４ａ、１１４ｂの弾発力により押し戻されるため、載置台側遮光部１０８及び装置側遮光部１１６が密着係合し、画像記録装置１０の内部が確実に遮光される。
【００４４】
なお、図３に示す実施形態と、図４に示す実施形態とを組み合わせ、載置台側遮光部及び装置側遮光部の両方を変位自在に構成することもできる。この場合、遮光袋１４の引き抜き作業を一層容易に行うことができる。
【図面の簡単な説明】
【００４５】
【図１】本発明のフイルム装填装置が適用される画像記録装置の構成図である。
【図２】図１に示す画像記録装置に装填される包装体の説明図である。
【図３】図１に示す画像記録装置における装填部の構成説明図である。
【図４】図１に示す画像記録装置における装填部の他の実施形態の構成説明図である。
【図５】図４に示す装填部の斜視構成図である。
【図６】従来技術に係るフイルム装填装置の斜視説明図である。
【図７】従来技術に係るフイルム装填装置の断面説明図である。
【符号の説明】
【００４６】
１０…画像記録装置                    １２…フイルム包装体
３６、３８、４０…載置台              ４９、５１、５３…装填部
５６…画像記録部                      ６４…レーザビーム走査部
６６…熱現像部                        ７４…冷却部
７６…排出部                          ８６…把手
９４、１０８…載置台側遮光部          ９６…下部ケーシング
９８…上部ケーシング                  １０２、１１４ａ、１１４ｂ…弾性部材
１０４、１１６…装置側遮光部          Ｆ…シートフイルム
【図１】
2005202098.tif 000003
【図２】
2005202098.tif 000004
【図３】
2005202098.tif 000005
【図４】
2005202098.tif 000006
【図５】
2005202098.tif 000007
【図６】
2005202098.tif 000008
【図７】
2005202098.tif 000009